(57)【要約】【課題】天板の奥行きの変化に容易に対応できる実用的な構成の折畳み式テーブルの支持部材カバーを得る。【解決手段】折畳み式テーブルにおける左右の支持部材１５，１５を覆う支持部材カバーであって、前部カバー２０と後部カバー１９の２分割とし、後部カバー１９には、折畳み式テーブルの脚体１を構成する主脚４の支持板９が使用状態及び折畳み状態とで前記支持部材に対して相対的に回動するための切り欠き１９ｂ、使用状態及び折畳み状態とで形態を固定できるロック装置のシャフトのための切り欠き１９ｃ及び天板支持フレームを構成する後部パイプ１６のための切り欠き１９ｄ、並びに、天板２への取付け部１９ｅ，１９ｅ等を形成し、天板２の奥行き変更による支持部材１５の形状変更によっても、共通の後部カバー１９を使用する。【選択図】        図９
2004267430.tif 000002
【特許請求の範囲】
【請求項１】
折畳み式テーブルの天板支持フレームを構成する左右の支持部材を覆う支持部材カバーであって、
前後に少なくとも２分割されてなることを特徴とする折畳み式テーブルの支持部材カバー。
【請求項２】
折畳み式テーブルの天板支持フレームを構成する左右の支持部材を覆う支持部材カバーであって、
前記支持部材カバーを前部カバーと後部カバーの２分割とし、該前後のカバーにはスライドさせて連結係合可能な連結係合部を設け、
天板の奥行き変更による前記支持部材の形状変更によっても共通の後部カバーを使用し、該共通使用する後部カバーの連結係合部と前記支持部材の形状変更に応じて異なる形状とした前部カバーの連結係合部とを連結させて構成されることを特徴とする折畳み式テーブルの支持部材カバー。
【請求項３】
前部パイプ及び後部パイプ並びに左右の支持部材により構成される天板支持フレームを備えた折畳み式テーブルにおける前記左右の支持部材を覆う支持部材カバーであって、
前記支持部材カバーを前部カバーと後部カバーの２分割とし、該後部カバーには、折畳み式テーブルの脚体を構成する主脚の支持板が使用状態及び折畳み状態とで前記支持部材に対して相対的に回動するための切り欠き、使用状態及び折畳み状態とで形態を固定できるロック装置のシャフトのための切り欠き及び前記天板支持フレームを構成する後部パイプのための切り欠き、並びに、天板への取付け部等を形成し、前記天板の奥行き変更による前記支持部材の形状変更によっても、共通の後部カバーを使用することを特徴とする折畳み式テーブルの支持部材カバー。
【発明の詳細な説明】
【０００１】
【発明の属する技術分野】
本発明は、折畳み式テーブルの支持部材カバーに係わり、更に詳しくは、天板の奥行きの変化にも容易に対応できる実用的な構成の折畳み式テーブルの支持部材カバーに関するものである。
【０００２】
【従来の技術】
従来から、天板を水平又は水平に近い使用状態と、垂直又は垂直に近い折畳み状態とに回動させて折畳むようにした折畳み式テーブルは各種提供されており、天板操作者等が手先や衣類等を挟むことを抑制するという観点から、折畳み式テーブルに用いる支持部材等のカバーについての発明もなされている（例えば、特許文献１及び２参照）。
【０００３】
【特許文献１】
特開平９−１９１９４１号公報（図１３）
【特許文献２】
特開平４−２００４０３号公報（第１−２図）
【０００４】
【発明が解決しようとする課題】
折畳み式テーブルにおいては、天板と幕板との連動装置、使用状態と折畳み状態にてロックを可能とするロック装置及び幕板の開閉装置等が組み込まれており、主に安全上の配慮から装着される前記支持部材等のカバーとして、より複雑な形状のものが要求されている。
【０００５】
しかしながら、従来の折畳み式テーブルの支持部材カバーにおいては、簡易的なものの開示があるのみであると共に、天板の奥行きの変化に容易に対応できる実用的な折畳み式テーブルの支持部材カバーについての開示は何らなされていない。
【０００６】
本発明が前述の状況に鑑み、解決しようとするところは、天板の奥行きの変化に容易に対応できる実用的な構成の折畳み式テーブルの支持部材カバーを提供する点にある。
【０００７】
【課題を解決するための手段】
本発明に係る折畳み式テーブルの支持部材カバーは、折畳み式テーブルの天板支持フレームを構成する左右の支持部材を覆う支持部材カバーであって、前後に少なくとも２分割されてなるものである。
【０００８】
また、本発明に係る折畳み式テーブルの支持部材カバーは、折畳み式テーブルの天板支持フレームを構成する左右の支持部材を覆う支持部材カバーであって、前記支持部材カバーを前部カバーと後部カバーの２分割とし、該前後のカバーにはスライドさせて連結係合可能な連結係合部を設け、天板の奥行き変更による前記支持部材の形状変更によっても共通の後部カバーを使用し、該共通使用する後部カバーの連結係合部と前記支持部材の形状変更に応じて異なる形状とした前部カバーの連結係合部とを連結させて構成るものである。
【０００９】
さらに、本発明に係る折畳み式テーブルの支持部材カバーは、前部パイプ及び後部パイプ並びに左右の支持部材により構成される天板支持フレームを備えた折畳み式テーブルにおける前記左右の支持部材を覆う支持部材カバーであって、前記支持部材カバーを前部カバーと後部カバーの２分割とし、該後部カバーには、折畳み式テーブルの脚体を構成する主脚の支持板が使用状態及び折畳み状態とで前記支持部材に対して相対的に回動するための切り欠き、使用状態及び折畳み状態とで形態を固定できるロック装置のシャフトのための切り欠き及び前記天板支持フレームを構成する後部パイプのための切り欠き、並びに、天板への取付け部等を形成し、前記天板の奥行き変更による前記支持部材の形状変更によっても、共通の後部カバーを使用するものである。
【００１０】
【発明の実施の形態】
次に本発明の実施の形態を添付図面に基づき更に詳細に説明する。図１は本実施形態の折畳み式テーブルを背後から見た使用状態における全体斜視図、図２は同じく使用状態において幕板開閉装置により幕板を閉じた状態を示す側面図、図３は同じく使用状態において幕板開閉装置により幕板を開けた状態を示す側面図、図４は折畳み状態における側面図である。図中符号Ａは幕板開閉装置、Ｂはロック装置、１は脚体、２は天板、３は幕板をそれぞれ示している。また、図中符号Ｄは配線ダクト、Ｔは天板２下部に配設した棚である。幕板開閉装置Ａにより幕板３を開いて、天板２と幕板３との間隔を開けると、配線ダクトＤ内への配線又はコンセントの配設等がより容易となる。
【００１１】
本実施形態の折畳み式テーブルは、左右の脚体１，１の上端部に、天板２の下面両側部を上下回動可能に連結し、該天板２を略水平な使用状態（図２参照）と上方へ回動させた折畳み状態（図４参照）とに変更することができると共に、前記天板２の後部下方に配した幕板３を、幕板開閉装置Ａにより、幕板３を閉じた状態（図２参照）及び幕板３を開けた状態（図３参照）に移動可能とし、ロック装置Ｂにより、使用状態（図２参照）と折畳み状態（図４参照）にロック可能な構造となっている。
【００１２】
脚体１は、図１〜図４に示すように、主脚４と該主脚４の前方に配する単又は複数種類の中から選んだ補助脚５とからなり、主脚４の上下中間部に補助脚５の上端部を着脱可能に連結したものである。
【００１３】
また、天板２の後部下方に配した幕板３を、左右両側において一対の上下リンク部６，７にて脚体１にリンク連結するとともに、該上リンク部６と天板２後部とを連動杆８にてリンク連結して天板２と幕板３とを連動させ、天板２と幕板３の一連の折畳み動作中に常に天板２の後端部２ａと幕板３の上端部３ａとの間に所定間隔以上の空隙Ｓを形成するように、上下リンク部部６，７及び連動杆８の長さと枢着位置が設定されている。したがって、天板２を略水平な使用状態（図２参照）から上方へ回動させた折畳み状態（図４参照）に変更しても、天板２の後端部２ａと幕板３の上端部３ａとの間に所定間隔以上の空隙Ｓが空けられているため、天板２の後端部２ａを持って該天板２を上下方向に回動させる際に、天板２の後端部２ａと幕板３の上端部３ａとの間で指を挟むことを防止することができる。また、折畳み状態において、折畳み式テーブルを前後にスタッキングした場合において、緩衝部材２４により天板２を保護することができる。
【００１４】
図５及び図６は前記ロック装置Ｂの動作説明図であり、図５は本実施形態の折畳み式テーブルの使用状態を示す側面図、図６は同じく折畳み状態を示す側面図である。
【００１５】
図２、図４乃至図６において、ロック装置Ｂは、左右の脚体１，１の上端部に、天板２の下面両側部を上下回動可能に連結し、該天板２を略水平な使用状態と上方へ回動させた折畳み状態とに固定する折畳み式テーブルのロック装置であって、脚体１に設けた支持板９に主軸１０にて天板２を回動可能に連結するとともに、該支持板９の縁部に第１係合部９ａと第２係合部９ｂを形成し、天板２の下面の両側部にそれぞれ上下傾動可能に配した規制部材１１の先端部に突設した規制部１１ａが、使用状態時に第１係合部９ａに係合し（図５）、折畳み状態時に第２係合部９ｂに係合すべく（図６）該規制部材１１を図示しないキックばねにて弾性付勢するとともに、該規制部材１１の基端部に設けた操作片１１ｂに当接して、規制部１１ａが第１係合部９ａ又は第２係合部９ｂから離れる方向に規制部材１１を操作する操作部材１２を、天板２の下面の両側部にそれぞれ回動可能に設けたものである。
【００１６】
ここで、規制部材１１は、枢軸１３にて傾動可能となし、該規制部材１１とは別体の操作部材１２が支軸１２Ａにて回動可能に設けられている。そして、前記天板２の下面の両側部に設けた両操作部材１２，１２は、その支軸１２Ａ，１２Ａが図示しない一本のシャフトの両端部に固定され連動して回動するようになっている。操作部材１２は、レバー１２ａと規制部材１１の操作片１１ｂに当接する押圧片１４を有し、レバー１２ａを持ち上げることによって、押圧片１４が操作片１１ｂを下方に押し、それにより規制部材１１のピン状の規制部１１ａが図示しないキックばねの弾性付勢力に抗して、第１係合部９ａ又は第２係合部９ｂから離れ、天板２の前縁部等の適所を持って上方に回動させたり、下方へ回動させて状態を変化させるのである。ここで、押圧片１４には支持部１４ａが形成されているため、天板支持フレームを構成する支持部材１５の内部での操作部材１２のガタツキを抑制すことができる。
【００１７】
また、図７は天板２の奥行きが長い場合、例えば６００ｍｍの場合の天板支持フレームを示す図であり、図７（ａ）は平面図、図７（ｂ）は側面図を示している。また、図８は天板２の奥行きが短い場合、例えば４５０ｍｍの場合の天板支持フレームを示す図であり、図８（ａ）は平面図、図８（ｂ）は側面図を示している。天板支持フレームは、前記天板２の奥行きが長い場合（図７）は支持部材１５，１５と連結パイプ１６，１６とを連結して構成され、前記天板２の奥行きが短い場合（図８）は支持部材１７，１７と連結パイプ１８，１８とを連結して構成される。連結パイプ１６及び１８は異なる形状であってもよいが、図７及び図８では連結パイプ１６及び１８が同一形状である場合を示している。また、連結パイプ１６，１６間の距離（図７中のＬ１）と連結パイプ１８，１８間の距離（図８中のＬ２）とは異なり、したがって、支持部材１５と１７との形状も異なるものである。
【００１８】
このように、天板２の奥行きに応じて支持部材の形状を変更する必要があり、したがって、支持部材カバーの形状も変更する必要がある。図９及び図１０は本発明の支持部材カバーの例を示す斜視図であり、図９は前記天板２の奥行きが長い場合の支持部材１５のカバーを示しており、図１０は前記天板２の奥行きが短い場合の支持部材１７のカバーを示している。
【００１９】
図９及び図１０のように、本発明に係る支持部材カバーは、前後に２分割されており、図９の前記天板２の奥行きが長い場合の支持部材カバーは、後部カバー１９と前部カバー２０とを後部カバー１９の連結係合部１９ａと前部カバー２０の連結係合部２０ａとを上下にスライドさせて係合させ、連結してなり、図１０の前記天板２の奥行きが短い場合の支持部材カバーは、後部カバー１９と前部カバー２１とを後部カバー１９の連結係合部１９ａと前部カバー２１の連結係合部２１ａとを上下にスライドさせて係合させ、連結してなるものである。また、前部カバー２０及び２１において、２０ｂ，２１ｂは天板支持フレームを構成する前部のパイプのための切り欠き、２０ｃ，２０ｃ及び２１ｃ，２１ｃは天板２への取付け部である。
【００２０】
以上のように、後部カバー１９は天板２の奥行きにかかわらず共通のものである。図１１は後部カバー１９の形状の例を示す説明図であり、図１１（ａ）は斜視図、図１１（ｂ）は平面図を示している。後部カバー１９には、脚体１を構成する主脚４の支持板９が使用状態及び折畳み状態とで支持部材に対して相対的に回動するための切り欠き１９ｂ、使用状態及び折畳み状態とで形態を固定できるロック装置のシャフトのための切り欠き１９ｃ，１９ｃ、及び、天板支持フレームを構成する後部パイプのための切り欠き１９ｄ、天板２への取付け部１９ｅ，１９ｅ等を形成しており、天板２の奥行きによらず共通化を図っているため、天板２の奥行きを変更する場合は、簡単な形状の前部カバーのみを変更すればよい。したがって、形状変更に伴って支持部材カバーを成型する金型費を大幅に抑えることができる。また、支持部材カバーを分割したため、支持部材カバーの着脱が容易になる。特に、後部カバーは前後が上方に開口しているため、外向きに開いた状態で着脱ができるため、さらに着脱が容易である。さらにまた、前部カバーと後部カバーとの材料、色等を変えることもできる。
【００２１】
図１２は天板２の例を示す平面図であり、裏面から見た図を示している。天板２の裏面に装着したオニメナット２２，・・・を利用して天板支持フレームを構成する左右の支持部材及び連結パイプ並びに支持部材カバー等を固定することができる。また、天板２の後部には配線支持部材２３，２３が固定される。図１３は該配線支持部材２３の例を示す斜視図であり、配線支持部２３ａ，・・・には２段のリブが形成されているため、外形の異なる配線を支持することができる。
【００２２】
【発明の効果】
この発明に係る折畳み式テーブルの支持部材カバーは、以上説明したように構成されているので、以下に示すような効果を奏する。
【００２３】
請求項１乃至３に係る発明によれば、天板の奥行きの変化にも容易に対応できる実用的な構成の折畳み式テーブルの支持部材カバーを得ることができる。
【図面の簡単な説明】
【図１】本実施形態の折畳み式テーブルを背後から見た使用状態における全体斜視図である。
【図２】同じく使用状態において幕板開閉装置により幕板を閉じた状態を示す側面図である。
【図３】同じく使用状態において幕板開閉装置により幕板を開けた状態を示す側面図である。
【図４】本実施形態の折畳み式テーブルの折畳み状態における側面図である。
【図５】ロック装置Ｂの動作説明図であり、本実施形態の折畳み式テーブルの使用状態を示す側面図である。
【図６】ロック装置Ｂの動作説明図であり、本実施形態の折畳み式テーブルの折畳み状態を示す側面図である。
【図７】天板２の奥行きが長い場合の天板支持フレームを示す図であり、（ａ）は平面図、（ｂ）は側面図である。
【図８】天板２の奥行きが短い場合の天板支持フレームを示す図であり、（ａ）は平面図、（ｂ）は側面図である。
【図９】本発明の支持部材カバーの例を示す斜視図である。
【図１０】本発明の支持部材カバーの例を示す斜視図である。
【図１１】後部カバー１９の形状の例を示す説明図であり、（ａ）は斜視図、（ｂ）は平面図である。
【図１２】天板２の例を示す平面図である。
【図１３】配線支持部材２３の例を示す斜視図である。
【符号の説明】
Ａ  幕板開閉装置                    Ｂ  ロック装置
Ｄ  配線ダクト                      Ｓ  空隙
１  脚体                            ２  天板
３  幕板                            ４  主脚
５  補助脚                          ６  上リンク部
７  下リンク部                      ８  連動杆
１５  支持部材                      １６  連結パイプ
１７  支持部材                      １８  連結パイプ
１９  後部カバー                    １９ａ  連結係合部
１９ｂ，１９ｃ，１９ｄ  切り欠き    １９ｅ  天板２への取付け部
２０，２１前部カバー                ２０ａ，２１ａ  連結係合部
【図１】
2004267430.tif 000003
【図２】
2004267430.tif 000004
【図３】
2004267430.tif 000005
【図４】
2004267430.tif 000006
【図５】
2004267430.tif 000007
【図６】
2004267430.tif 000008
【図７】
2004267430.tif 000009
【図８】
2004267430.tif 000010
【図９】
2004267430.tif 000011
【図１０】
2004267430.tif 000012
【図１１】
2004267430.tif 000013
【図１２】
2004267430.tif 000014
【図１３】
2004267430.tif 000015